(57)【特許請求の範囲】
【請求項１】
旅行者が携帯し旅行の出発地，乗り継ぎ地，および目的地を含む旅行行程の移動情報を入力する携帯端末と、
前記移動情報を中継するとともに前記携帯端末の移動中の位置情報を検知する基地局と、
前記基地局から前記移動情報を受信しそれをサービスサーバに登録し、前記基地局から前記位置情報を受信しそれが前記旅行者に案内情報を通知すべきエリアにあるときには前記サービスサーバから該当する交通機関の案内情報を取得し，前記案内情報を前記携帯端末に送信する交換機と、
前記移動情報に基づいて前記旅行者に前記案内情報を通知すべきエリアを抽出してそれをエリア情報として前記交換機に通知し，さらに前記交換機が前記エリア情報に該当する交通機関の案内情報を要求してきたときには該当の案内情報を送出するサービスサーバ
とを有することを特徴とする乗り場案内通知システム。
【請求項２】
請求項１記載の乗り場案内通知システムにおいて、
前記交換機は、旅行者の移動情報に基づいて前記サービスサーバが通知してくるエリア情報を受信しそれを格納し，さらに前記旅行者が携帯する携帯端末の位置情報を保持するホームロケーションレジスタを具備することを特徴とする乗り場案内通知
システム。
【請求項３】
請求項１または２記載の乗り場案内通知システムにおいて、
前記ホームロケーションレジスタは、前記基地局および前記交換機を介して受信した前記旅行者が携帯する携帯端末の位置情報により、従来保持してきた前記携帯端末の位置情報を更新し、更新後の位置情報をあらかじめ格納されているエリア情報と照合し、更新後の位置情報が前記エリア情報に含まれる場合にはその旨を到着情報として前記交換機に通知する機能を備えることを特徴とする乗り場案内通知システム。
【請求項４】
請求項１，２，または３記載の乗り場案内通知システムにおいて、
前記サービスサーバは、旅行者の移動情報に基づいて前記エリア情報およ
び前記案内情報を生成するときに参照する各種の情報を格納した情報データベー
スを具備することを特徴とする乗り場案内通知システム。
【請求項５】
旅行者は旅行行程の移動情報を自身が携帯する携帯端末に入力し、入力した移動情報を基地局および交換機を介してサービスサーバに登録し、
前記サービスサーバは前記移動情報に基づいて前記旅行者に案内情報を通知すべきエリアを抽出してそれをエリア情報として前記交換機に通知し、
前記交換機は前記エリア情報をホームロケーションレジスタに格納し、前記旅行者が携帯する前記携帯端末の位置情報を検知し、前記位置情報により前記ホームロケーションレジスタに保持されていた位置情報を更新し、更新後の位置情報が前記エリア情報に含まれるときにはその旨を到着情報としてサービスサーバに通知し、
前記サービスサーバは前記到着情報に従って前記エリア情報に該当するエリアの交通機関の案内情報を情報データベースから抽出して前記交換機に送信し、前記交換機は前記携帯端末に前記案内情報を送信する
ことを特徴とする乗り場案内通知方法。
【請求項６】
請求項５記載の乗り場案内通知方法において、
前記ホームロケーションレジスタは、前記基地局および前記交換機を介して受信した前記旅行者が携帯する携帯端末の位置情報により、従来保持してきた前記携帯端末の位置情報を更新し、更新後の位置情報をあらかじめ格納されているエリア情報と照合し、更新後の位置情報がエリア情報に含まれる場合にはその旨を到着情報として前記交換機に通知し、前記交換機は前記到着情報を前記サービスサーバに送信する
ことを特徴とする乗り場案内通知方法。
【請求項７】
請求項５または６記載の乗り場案内通知方法において、
前記情報データベースは、前記サービスサーバが旅行者の移動情報に基づいて前記エリア情報および前記案内情報を生成するときに参照する各種の情報を格納していることを特徴とする乗り場案内通知方法。
【発明の詳細な説明】
【０００１】
【発明の属する技術分野】
本発明は乗り場案内通知システムおよび方法に関し、特に旅行者などが交通機関を利用する際に出発地，乗り換え地，および到着地などについての案内情報を提供する乗り場案内通知システムおよび方法に関する。
【０００２】
【従来の技術】
従来、公共の交通機関を利用する旅行者は旅行会社などが発行するガイドブックやパンフレット，各交通機関などが公表している運行時刻表を参照しながら旅行計画を決定し、行動している。特に、鉄道を利用する場合には、出発地，出発地と到着地との途中の経路，料金などを検索するシステムを参照することもできる。
【０００３】
しかしながら、はじめて利用する路線などでは、出発駅や乗り換え駅などでの列車ホームや発車時刻などを常に意識して行動しなければならない。すなわち、初めての駅構内が案内表示だけではよくわからないことがあり、予想以上に時間を費やしてしまい予定の列車に乗りおくれることもある。
【０００４】
【発明が解決しようとする課題】
上記のように、旅行者にとって初めての乗車駅や乗り換え駅に適切な案内表示などがなされているとは限らないので、その場に到着してから初めて事前の調査不足や情報不足に気がつくということがある。すなわち、必要な場所で，必要な時に，必要な情報を適切に取得することはほとんどできない。
【０００５】
本発明の目的は、上記のような問題点を改善するために、旅行者が携帯する携帯端末を活用し、旅行の出発地，中継地，目的地などでタイミングよく適切な案内情報を送信するようにした乗り場案内通知システムおよび方法を提供することにある。
【０００６】
【課題を解決するための手段】
本発明の乗り場案内通知システムは、旅行者が携帯し旅行の出発地，乗り継ぎ地，および目的地を含む旅行行程の移動情報を入力する携帯端末と、前記移動情報を中継するとともに前記携帯端末の移動中の位置情報を検知する基地局と、前記基地局から前記移動情報を受信しそれをサービスサーバに登録し，前記基地局から前記位置情報を受信しそれが前記移動情報に含まれるエリアにあるときには前記サービスサーバから該当する交通機関の案内情報を取得し，前記案内情報を前記携帯端末に送信する交換機と、前記移動情報に基づいて前記旅行者に案内情報を通知すべきエリアを抽出してそれをエリア情報として前記交換機に通知し，さらに前記交換機が前記エリア情報に該当する交通機関の案内情報を要求してきたときには該当の案内情報を送出するサービスサーバとを有することを特徴とする。
【０００７】
さらに、本発明の乗り場案内通知システムにおいて、前記交換機は、旅行者の移動情報に基づいて前記サービスサーバが通知してくるエリア情報を受信しそれを格納し，さらに前記旅行者が携帯する携帯端末の位置情報を保持するホームロケーションレジスタを具備することを特徴とする。
【０００８】
さらに、本発明の乗り場案内通知システムにおいて、前記ホームロケーションレジスタは、前記基地局および前記交換機を介して受信した前記旅行者が携帯する携帯端末の位置情報により、従来保持してきた前記携帯端末の位置情報を更新し、更新後の位置情報をあらかじめ格納されているエリア情報と照合し、両者が一致する場合にはその旨を到着情報として前記交換機に通知する機能を備えることを特徴とする。
【０００９】
さらに、本発明の乗り場案内通知システムにおいて、前記サービスサーバは、旅行者の移動情報に基づいて前記エリア情報および前記案内情報を生成するときに参照する各種の情報を格納した情報データベースを具備することを特徴とする。
【００１０】
また、本発明の乗り場案内通知方法は、旅行者は旅行行程の移動情報を自身が携帯する携帯端末に入力し、入力した移動情報を基地局および交換機を介してサービスサーバに登録し、前記サービスサーバは前記移動情報に基づいて前記旅行者に案内情報を通知すべきエリアを抽出してそれをエリア情報として前記交換機に通知し、前記交換機は前記エリア情報をホームロケーションレジスタに格納し、前記旅行者が携帯する前記携帯端末の位置情報を検知し、前記位置情報により前記ホームロケーションレジスタに保持されていた従来の位置情報を更新し、更新後の位置情報が前記エリア情報と一致するときにはその旨を到着情報としてサービスサーバに通知し、前記サービスサーバは前記到着情報に従って前記エリア情報に該当するエリアの交通機関の案内情報を情報データベースから抽出して前記交換機に送信し、前記交換機は前記携帯端末に前記案内情報を送信することを特徴とする。
【００１１】
さらに、本発明の乗り場案内通知方法において、前記ホームロケーションレジスタは、前記基地局および前記交換機を介して受信した前記旅行者が携帯する携帯端末の位置情報により、従来保持してきた前記携帯端末の位置情報を更新し、更新後の位置情報をあらかじめ格納されているエリア情報と照合し、両者が一致する場合にはその旨を到着情報として前記交換機に通知し、前記交換機は前記到着情報を前記サービスサーバに送信することを特徴とする。
【００１２】
さらに、本発明の乗り場案内通知方法において、前記情報データベースは、前記サービスサーバが旅行者の移動情報に基づいて前記エリア情報および前記案内情報を生成するときに参照する各種の情報を格納していることを特徴とする。
【００１３】
すなわち、旅行者は、あらかじめ携帯電話から出発駅と到着駅をプロバイダのサービスサーバに登録する。プロバイダは、交換機から旅行者の携帯電話が出発駅あるいは乗り換え駅のエリアに入った際に通知を受け、その時刻で目的地に向かうための列車のホーム番号，次の乗り換え駅，所要時間などの情報をデータベースから検索・編集し、携帯電話に通知することにより、旅行者はスムーズな列車乗り換えのための情報を取得することができる。
【００１４】
【発明の実施の形態】
以下、本発明について図面を参照しながら説明する。
【００１５】
図１は本発明の実施の一形態を示す説明図である。同図において、本発明による乗り場案内通知システムは、旅行者が携帯し旅行の出発地，乗り継ぎ地，および目的地を含む旅行行程の移動情報を入力する携帯端末１０と、前記移動情報を中継するとともに前記携帯端末の移動中の位置情報を検知する基地局２０および２１と、前記基地局から前記移動情報を受信しそれをサービスサーバに登録し，前記基地局から前記位置情報を受信しそれが前記移動情報に含まれるエリアにあるときには前記サービスサーバから該当する交通機関の案内情報を取得し，前記案内情報を前記携帯端末に送信する交換機３０と、前記移動情報に基づいて前記旅行者に案内情報を通知すべきエリアを抽出してそれをエリア情報として前記交換機に通知し，さらに前記交換機が前記エリア情報に該当する交通機関の案内情報を要求してきたときには該当の案内情報を送出するサービスサーバ４０とを有する。
【００１６】
上記の交換機３０は、旅行者の移動情報に基づいて前記サービスサーバが通知してくるエリア情報を受信しそれを格納し，さらに前記旅行者が携帯する携帯端末の位置情報を保持するホームロケーションレジスタ６０を具備する。
【００１７】
ここで、ホームロケーションレジスタ６０は、前記基地局および前記交換機を介して受信した前記旅行者が携帯する携帯端末の位置情報により、従来保持してきた前記携帯端末の位置情報を更新し、更新後の位置情報をあらかじめ格納されているエリア情報と照合し、両者が一致する場合にはその旨を到着情報として前記交換機に通知する機能を備える。
【００１８】
また、上記のサービスサーバ４０は、旅行者の移動情報に基づいて前記エリア情報および前記案内情報を生成するときに参照する各種の情報を格納した情報データベース５０を具備する。
【００１９】
上記の乗り場案内通知システムにおいて、旅行者は、携帯端末１０から基地局２０を経由して、交換機３０にサービス登録要求を行なう。交換機３０は、旅行者からの登録情報を、ＨＬＲ（ホームロケーションレジスタ。以下、ＨＬＲという。）６０に蓄積し、また同時にプロバイダのサービスサーバ４０にも通知を行なう。
【００２０】
また、プロバイダから旅行者への情報通知（たとえば、列車乗り換えのための情報通知）は、旅行者の携帯端末１０の位置情報を、基地局２０を経由して受信した交換機３０が、ＨＬＲ６０に旅行者のサービス登録状況を確認した後、プロバイダのサービスサーバ４０に通知し、旅行者の位置情報に応じた列車乗り換えのための情報を情報データベース５０より引き出した後、交換機３０および基地局２０を経由して携帯端末１０へ通知する。
【００２１】
図２は上記の乗り場案内通知システムの動作を示す説明図である。ここでは、交通機関として鉄道を利用する場合について説明する。
【００２２】
まず、旅行者は、携帯端末１０から、列車乗り換えのための情報通知を受けるための登録を行なう。すなわち、プロバイダの提供するホームページにアクセスし、あるいはプロバイダの電話番号をダイアルし、出発駅や到着駅など必要な情報（移動情報）の登録を行なう（１）。
【００２３】
このとき、旅行者に最寄の基地局２０は、携帯端末１０からの電波を受信し、交換機３０に移動情報を中継する。さらに交換局３０は、基地局２０から情報を受け取り、情報をプロバイダのサービスサーバ４０に中継する。
【００２４】
サービスサーバ４０は、交換機３０から受け取った出発駅や到着駅などの情報をもとに、情報データベース５０にアクセスし、出発駅や乗り換え駅など、旅行者に情報を通知すべきエリア情報を検索・編集し、交換機３０に通知する（２）。
【００２５】
交換機３０は、サービスサーバ４０から受け取ったエリア情報を、ＨＬＲ６０に登録する（３）。
【００２６】
旅行者の携帯端末１０が出発駅のエリアに入ると、出発駅のエリアにある基地局２１を経由して、交換機３０に位置情報が通知される。すると、交換機３０は、ＨＬＲ６０に対し、携帯端末１０の位置情報の更新を行なう（４）。
【００２７】
ＨＬＲ６０は、交換機３０から更新要求のあった位置情報があらかじめ登録されているエリア情報と一致するかどうか照合を行ない一致する場合は、それを到着情報として交換機３０に通知する（５）。
【００２８】
交換機３０は、ＨＬＲ６０から到着情報の通知を受けると、それをプロバイダのサービスサーバ４０に通知する（６）。
【００２９】
サービスサーバ４０は、旅行者の携帯端末１０が出発駅のエリアに入ったことを認識し、情報データベース５０から列車の到着ホーム，次の乗り換え駅，乗り換え駅までの所要時間，発車時刻，駅の構内地図など、出発駅での案内情報を検索・編集し、交換機３０および基地局２１を経由し、旅行者の携帯端末１０を呼び出した後、表示させる（７）。
【００３０】
次に、旅行者が乗り換え駅のエリアに入った際も、出発駅のエリア入った際と同様の動作で、プロバイダは旅行者に乗り換え駅で必要な情報を提供する。
【００３１】
上記の具体例においては、列車利用のみの場合を示したが、バスやタクシー，あるいは航空機や客船など他の交通機関との組み合わせにより、本発明を実現することもできる。
【００３２】
【発明の効果】
以上、詳細に説明したように、本発明によれば、旅行者が所持する携帯端末に交通機関の出発時刻や乗り換え案内などの情報を、旅行者の移動の経過に従ってタイムリーに提供することができるので、旅行者は初めて利用する経路であっても迷うことなく快適に目的地に到着することができる。
【図面の簡単な説明】
【図１】本発明の実施の一形態を示す説明図。
【図２】本発明の動作の手順を示す説明図。
【符号の説明】
１０    携帯端末
２０，２１    基地局
３０    交換機
４０    サービスサーバ
５０    情報データベース
６０    ＨＬＲ（ホームロケーションレジスタ）
【図１】
0003970650.tif 000002
【図２】
0003970650.tif 000003